(57)【要約】【課題】ボード体、シート体等の部材の表面に撥水性が付与され、水捌け性に優れるとともに、表面に凹凸模様が設けられた撥水水回り部材を提供する。【解決手段】部材１の表面に塗布されるベース剤２をインクジェットにより形成された凹凸模様を有するベース剤層２１とし、該ベース剤層２１の凸部に撥水性塗料をインクジェットノズル５ａより略玉状の液滴としてインクジェットするとともに、該ベース剤層２１の凹部に親水性塗料をインクジェットノズル５ｂより略玉状の液滴としてインクジェットすることにより、表面に凹凸模様が設けられた撥水水回り部材Ａ。【選択図】図２
2008178829.tif 000002
【特許請求の範囲】
【請求項１】
部材の表面に塗布されるベース剤をインクジェットにより形成された凹凸模様を有するベース剤層とし、該ベース剤層の凸部に撥水性塗料をインクジェットノズルより略玉状の液滴としてインクジェットするとともに、該ベース剤層の凹部に親水性塗料をインクジェットノズルより略玉状の液滴としてインクジェットすることにより、表面に凹凸模様が設けられた撥水水回り部材。
【請求項２】
上記ベース剤が光硬化性樹脂からなる請求項１に記載の撥水水回り部材。
【発明の詳細な説明】
【技術分野】
【０００１】
本発明は、撥水性を有する部材に関する。さらに詳しくは、ボード体、シート体等の部材の表面に撥水性が付与された撥水水回り部材に関する。
【背景技術】
【０００２】
一般的に、浴室の洗い場の床の表面には、水捌けをよくするために凹凸パターンが設けられ、洗い場の水は、凹凸パターンの凹部である細溝状の流路を流れて排水口に達し、排水される。下記特許文献１には、上記した洗い場の床をリフォームする際に床面に貼り付けられる洗い場用の床用シートが開示されている。
【０００３】
すなわち、下記特許文献１には、既設の洗い場の床面に貼り付けるシートであって、このシートの表面を新規の床面とし、その表面には、流れる水の水捌けをよくするための凹凸パターンが形成され、上記シートの基材の表面を親水性とし、該基材の凸部を撥水性とした洗い場の床用シートが提案されている。そして、上記凸部が、例えば、フッ素−シリコン系やフッ素−アクリル系等の撥水性樹脂で印刷される構成等が記載されている。
【特許文献１】特開２００６−６３５５４号公報（第１〜５頁、第１図、第３図）
【発明の開示】
【発明が解決しようとする課題】
【０００４】
上記公知技術においては、基材としては、例えば、ポリ塩化ビニル樹脂をベースにして発泡剤を加えてなる発泡性の樹脂シートが用いられ、この発泡性樹脂シートに金型によって凹凸パターンを形成し、マトリクス状に配列された凸部を上記フッ素−シリコン系やフッ素−アクリル系の撥水性樹脂で印刷するため、手間がかかり、製造コストも高くなるという問題がある。
【０００５】
本発明はこのような問題を解決して、ボード体、シート体等の部材の表面に撥水性が付与され、水捌け性に優れるとともに、表面に凹凸模様が設けられた撥水水回り部材を提供することを、その課題とする。
【課題を解決するための手段】
【０００６】
上記課題を解決するために、本発明においては、つぎのような技術的手段を講じている。すなわち、請求項１に記載の本願発明によれば、部材の表面に塗布されるベース剤をインクジェットにより形成された凹凸模様を有するベース剤層とし、該ベース剤層の凸部に撥水性塗料をインクジェットノズルより略玉状の液滴としてインクジェットするとともに、該ベース剤層の凹部に親水性塗料をインクジェットノズルより略玉状の液滴としてインクジェットすることにより、表面に凹凸模様が設けられた撥水水回り部材が提供される。
【０００７】
上記部材としては、ＭＤＦ（中密度繊維板）、パーティクルボード、集積材等のボード体、塩化ビニル樹脂、ポリプロピレン、ポリウレタン、ポリエチレン等のシートならびにこれらに発泡剤を加えてなる発泡性シート等のシート体をあげることができる。また、撥水性塗料としては、アクリル系、メタクリル系、ウレタン系、フッ素系、フッ素−シリコン系、フッ素−アクリル系等の撥水性塗料が例示され、親水性塗料としては、表面親水化界面活性剤を含む親水性塗料が例示される。
【０００８】
請求項２に記載の撥水水回り部材は、請求項１に記載の発明に加えて、上記ベース剤が光硬化性樹脂からなるものとされる。光硬化性樹脂としては、とくに限定されるものではないが、光硬化性アクリル樹脂が好ましく用いられる。また、上記ベース剤に着色剤を加え、ベース剤を着色して用いてもよい。
【発明の効果】
【０００９】
請求項１に記載の発明にかかる撥水水回り部材は、部材の表面に塗布されるベース剤をインクジェットにより形成された凹凸模様を有するベース剤層とし、該ベース剤層の凸部に撥水性塗料をインクジェットノズルより略玉状の液滴としてインクジェットするとともに、該ベース剤層の凹部に親水性塗料をインクジェットノズルより略玉状の液滴としてインクジェットすることにより、表面に凹凸模様が設けられた撥水水回り部材であるから、撥水性塗料から形成された凸部ではじかれた水は親水性塗料で形成された凹部に導かれて、排水経路に沿ってスムースに排水される。そして、種々の凹凸模様が表面に形成された水切れ性、排水性のよい撥水水回り部材を提供することができる。
【００１０】
請求項２に記載の撥水水回り部材は上記のとおりであり、請求項１の撥水水回り部材の有する効果に加え、上記ベース剤が光硬化性樹脂からなるため、硬化剤をインクジェットした後、紫外線を短時間照射することにより、簡単に作業性よく部材の表面にベース剤層を設けることができる。
【発明を実施するための最良の形態】
【００１１】
以下、本発明の実施形態について図面を参照して詳細に説明する。図１、図２は、本願発明にかかる撥水水回り部材を製造する方法の概略構成を模式的に示す説明図であり、図１は該製造の前半工程を、図２は該製造の後半工程を示す。図１に示すように、予め光硬化性のベース剤２を表面に塗布した部材１をコンベヤで移動しながら、硬化剤貯留槽に貯留された硬化剤３の所定量を液滴硬化剤３１として上記ベース剤２にベース剤インクジェットノズル４からインクジェットする。その後、図示しない紫外線照射装置から紫外線を数秒照射して部材１の表面に光硬化性のベース剤２が光硬化して凹凸模様有するベース剤層２１が形成される。
【００１２】
次に、図２に示した工程に移る。インクジェットコントローラ６は、ベース剤層２１の凹凸模様を入力したイメージ記憶手段７にしたがって該模様の凸部に、液滴撥水性塗料５１を撥水性塗料用インクジェットノズル５ａからインクジェットするようにピエゾ素子に電圧を加える。同様に、該模様の凹部に液滴親水性塗料５２を親水性塗料用インクジェットノズル５ｂからインクジェットするように、ピエゾ素子に電圧を加える。
【００１３】
その結果、本発明の撥水水回り部材に水がかかった場合、撥水性塗料から形成された凸部ではじかれた水は親水性塗料で形成された凹部に流れ、排水経路に沿ってスムースに排水される。このようにすることにより、図２に模式的に示すように、種々の凹凸模様が表面に形成された撥水水回り部材Ａを製造することができる。上記イメージ記憶手段７には、図示しないイメージセンサで認識したイメージをオンラインで入力することも可能である。
【００１４】
なお、ベース剤２、液滴撥水性塗料５１及び液滴親水性塗料５２に適当な着色を行うことにより、形状模様と色彩模様とが融和した様々な撥水水回り部材を得ることができる。更に、上記凹凸模様の撥水水回り部材は、良好な滑水機能を有するとともに防汚機能をも有することになる。又、該撥水水回り部材を浴室のいわゆる床パンに採用する場合、足裏に感じる感触もその凹凸形状と耐滑性とが相まって一段と向上するのである。
【００１５】
以上述べたように、本発明にかかる撥水水回り部材は、内装材、外装材の分野で水切れ性が求められる場合に好ましく用いられ、とくに、浴室の洗い場の床面、ベランダの床面等に用いた場合、優れた水捌け性、排水性及び耐滑性を発揮することができる。
【図面の簡単な説明】
【００１６】
【図１】本発明にかかる撥水水回り部材の前半の製造方法の概略構成を示す説明図である。
【図２】本発明にかかる撥水水回り部材の後半の製造方法の概略構成を示す説明図である。
【符号の説明】
【００１７】
Ａ          本願発明にかかる撥水水回り部材
１          部材
２          ベース剤
２１        ベース材層
３          硬化剤
３１        液滴硬化剤
４          ベース材インクジェットノズル
５１        液滴撥水性塗料
５２        液滴親水性塗料
５ａ        撥水性塗料用インクジェットノズル
５ｂ        親水性塗料用インクジェットノズル
６          インクジェットコントローラ
７          イメージ記憶手段
【図１】
2008178829.tif 000003
【図２】
2008178829.tif 000004